(57)【特許請求の範囲】
【請求項１】
オペレータがITU-T勧告の300dpi×300dpiと400dpi×400dpiと16ドット×15.4ライン/mmの超高画質のうちの少なくとも１つを含む複数の画質から送信画質を設定する設定手段と、
相手機から受信した初期識別信号の情報フィールドに基づき相手機の画質能力を判断する判断手段と、
前記設定手段で設定された送信画質および前記判断手段により判断された相手機の画質能力に応じて実際に送信する画質を決定する画質選択手段とを具備したファクシミリ装置であって、
前記画質選択手段は、
相手機から受信した初期識別信号の情報フィールドにインチ系ミリ系宣言がない場合、前記設定手段で設定された送信画質が超高画質であっても、実際に送信する超高画質以外の画質に決定することを特徴とするファクシミリ装置。
【請求項２】
オペレータがITU-T勧告の300dpi×300dpiと400dpi×400dpiと16ドット×15.4ライン/mmの超高画質のうちの少なくとも１つを含む複数の画質から送信画質を設定する設定手段と、
相手機から受信した初期識別信号の情報フィールドに基づき相手機の画質能力を判断する判断手段と、
前記設定手段で設定された送信画質および前記判断手段により判断された相手機の画質能力に応じて実際に送信する画質を決定する画質選択手段とを具備したファクシミリ装置であって、
前記画質選択手段は、
相手機から受信した初期識別信号の情報フィールドにインチ系ミリ系宣言がない場合、前記設定手段で設定された送信画質が超高画質のときに実際に送信する画質を相手機が有する超高画質のうちのインチ系ミリ系に関係しない超高画質に決定することを特徴とするファクシミリ装置。
【発明の詳細な説明】
【技術分野】
【０００１】
本発明はファクシミリ装置に関し、特に送信側装置で設定された送信画質と受信側から返送された初期識別信号（ＤＩＳ）中の相手機画質とに基づいて、実際に送信する画質を最適に（なるべく高品質の画像が得られるように）決定する機能を備えたファクシミリ装置、さらには受信側ファクシミリ装置が新たなＣＣＩＴＴ勧告に基づくインチ系ミリ系の宣言をしていないときでも、その画質機能に最適と推測される送信画質を設定する機能を備えたファクシミリ装置に関する。
【背景技術】
【０００２】
ファクシミリ装置においては、送信原稿の粗密に応じて送信側で超高画質／高画質／標準などのモ−ドを選択し、原稿画像の読取りおよび画像情報の送信が行なわれる。その際、なるべく高画質、高解像度で送受信を行なうために、送信側装置では送信可能な最高の解像度で原稿画像を読み取り、相手機で宣言された画質に基づいて受信側装置の画質機能を判別し、両者に共通の、かつなるべく高い解像度で画像情報を送信することが知られている。
【０００３】
また、受信側装置で宣言された機能に送信側装置の機能と合致するものがない場合は、ファクシミリ送信を行なわずに回線を切断することも提案されている。
【特許文献１】特開平３−３０５７１号公報
【特許文献２】特開平４−１５９８５９号公報
【発明の開示】
【発明が解決しようとする課題】
【０００４】
従来の伝送制御手順に関するＣＣＩＴＴの勧告Ｔ．３０では、画質は標準と高画質、およびミリ系しかなかったので、受信側装置は画質機能の宣言として、高画質および標準の両方があるのか、標準しかないかの２通りのみ行なえばよく、画質機能が合致するかどうかの判断は非常に簡単なものであった。しかし、今回新たに超高画質および画質のインチ系ミリ系宣言が勧告されたのに応じて、受信側装置は超高画質および、画質のタイプすなわちインチ系ミリ系の少なくとも一方の宣言をすることとされたので、送信側では自己機の画質と宣言された相手機の画質に適合した最適、最高の画質で送信するのが望ましい。
【０００５】
ところが画質の種類が多くなると、送信側装置および相手機の画質を認識して最適の送信画質を手動で設定することは、かなり面倒になり、最適の送信画質を設定することが困難になる。さらに、新勧告前の従来のファクシミリ装置では、このような規格がなかったので、超高画質および画質のインチ系ミリ系の宣言をする機能を持たなかったり、または超高画質機能を持っていてもインチ系ミリ系の宣言をしなかったりすることがあり、このような場合は、送信側では交信に当って前記のインチ系ミリ系宣言を受け取れないことが予想される。新勧告では、インチ系ミリ系のいずれの宣言もされていない場合は「無効」と規定されているが、具体的にどのように無効にするかは明定されておらず、送信側装置はどのように動作すべきかが定まらなかった。
【０００６】
従来の装置では、送信側装置および相手機の画質を認識して最適の送信画質を自動的に設定することは考慮されておらず、また超高画質および画質のインチ系ミリ系の宣言がされていない場合のファクシミリ装置の動作、制御については全く考慮されていなかった。上記特許文献２に開示されたような技術を適用して、前記宣言がされていない場合に、ファクシミリ送信を行なわずに回線を切断するようにすれば、実際には送信すれば受信可能であったのに送信しないという事態が多くなり、回線およびファクシミリ装置の利用効率が低下することになる。
【０００７】
本発明の目的は、送信側装置および相手機の画質を認識して最適の送信画質を自動的に設定することのできるファクシミリ装置を提供することにある。
【０００８】
また本発明の他の目的は、受信側装置がインチ系ミリ系の宣言をしない場合でも、受信側装置の画質機能を推定するか、または予め送信側で決めた画質を有するものとみなして、これに応じた画質で送信するようにしたファクシミリ装置を提供することにある。
【課題を解決するための手段】
【０００９】
相手機が有する画質および送信側装置で設定した送信画質をパラメ−タとする画質選択テ−ブルなどを予め準備しておき、ファクシミリ交信の際に相手機から送られた初期識別信号の情報フィールドに基づいて判断した相手機の画質能力と送信側装置で設定した送信画質とに基づいて、実際に送信する画質を読出して決定する。
【００１１】
この場合、送信側装置で超高画質が設定されていても、相手機がインチ系ミリ系の宣言をしていないときは、超高画質以外の画質に決定するか、あるいは相手機が有する超高画質のうちのインチ系ミリ系に関係しない超高画質に決定するかして、実際の送信画質を決定する。
【発明の効果】
【００１２】
本発明によれば、特に送信側装置が超高画質機能を有する場合、送信側のオペレ−タが選択した送信画質および相手機の画質能力に応じて、最も高い画質での画情報送信が、オペレ−タの判断によらず、自動的に決定されるので、より効果的かつ高品質のファクシミリ通信が可能となる。また、相手機の画質宣言が無効であっても通信を切断することなく、送受信側両者の画質関係を勘案して最も良いと推定される画質で送信が遂行されるので、通信エラ−などの理由で回線が遮断される確率が低くなり、回線およびファクシミリ装置の利用効率が改善できる。
【００１３】
予め準備された画質選択テ−ブルを用いれば、単にオペレ−タが送信したい画質を設定するだけで、送信側装置および相手機の画質に応じた最適の送信画質が自動的に設定されるので、オペレ−タの負担の軽減およびなるべく高画質での送信を両立させることができる。
【００１４】
また、相手機がインチ系ミリ系の宣言をしていないときの「無効」の取扱いが画一化され、回線が接続された場合の送信完了の確率が高くなり、回線およびファクシミリ装置の利用効率が改善される。
【発明を実施するための最良の形態】
【００１５】
以下に、図面を参照して本発明の実施例を説明する。図９は本発明を適用するのに好適なファクシミリ装置の基本的かつ代表的なハード構成を示す要部ブロック図である。
【００１６】
読取装置１は、適当な原稿送給装置（図示せず）から送給された送信原稿を既知の手法で読取って画情報（電気信号）に変換する。前記画情報は、符号化・復号化装置３で符号化された後、システム制御部１８の制御の下にモデム４および網制御装置（ＮＣＵ）５を介して通信（公衆）回線１６に送出される。モデム４は、低速モードと高速モードのインタフェースを有している。低速モードは伝送手順信号用インタフェースＶ．２１、高速モードは画情報送受信用インタフェースＶ．２７ｔｅｒ，Ｖ．２９，Ｖ．３３，Ｖ．１７等である。ＮＣＵ５（網制御回路）は通信制御部の制御の下にダイヤル信号の送出や網（公衆回線）との接続を制御する。
【００１７】
前記読取装置１で読取られた画情報は、画情報メモリ６に一旦格納しておくこともでき、システム制御部１８から別途指示される送信指示に応答して回線１６に送出することもできる。
【００１８】
一方、外部から回線１６を介して受信された画情報は、前記符号化・復号化装置３で復号化された後、画像メモリ６に記憶されたり、印字装置７で記録、出力される。操作・表示装置８は、該ファクシミリ装置にオペレータが各種の指示を与えるための操作スイッチ類と、動作状態を表示するための液晶表示方式等のパネルなどからなる。ＲＯＭ９には、該ファクシミリ装置全体の動作を制御するためのプログラムと、通信制御のためにモデム４およびＮＣＵ５を動作させるためのプログラムなどが格納され、ＲＡＭ１０には、前記プログラムの実行に使用される制御データなどが格納される。
【００１９】
ＣＰＵ１１は、前記ＲＯＭ９およびＲＡＭ１０に格納されたプログラムおよび制御データ、ならびに操作・表示装置８から入力された指示に従って、ファクシミリ装置全体の制御処理および伝送制御手順処理を実行する。上記の各構成部分間でのデータや信号の授受はシステムバス１２を介して行われる。
【００２０】
図１は本発明の実施例の要部を示す機能ブロック図であり、図９と同一の符号は同一または同等部分を表わす。主制御部２０は通常の手法で送信開始のための発呼を行ない、受信側ファクシミリ装置から初期識別信号（ＤＩＳ信号）が送られて来たことを確認すると、これを初期識別信号解析部２１に転送する。初期識別信号解析部２１はこれを解析し、受信装置の画質を判別（または推定）する。このように判別（または推定）された受信装置の画質と送信側ファクシミリ装置のオペレ−タが送信画質選択部２３で選択した画質とに基づいて、主制御部２０は画質選択テ−ブル２５を参照して送信すべき画質を決定し、これにしたがって送信原稿読取部２７（読取装置１）を駆動し、画情報（電気信号）を出力させる。
【００２１】
前記画情報は、通常の手法で、符号化・復号化装置３において符号化された後、システム制御部１８の制御の下にモデム４および網制御装置（ＮＣＵ）５を介して通信（公衆）回線１６に送出される。なお、送信すべき画質が決定される前に、オペレ−タが選択した画質または送信側装置の最高の画質で送信原稿を読込んで置き、送信画質が決定された後で、必要ならば、これを実際に送信する画質に変換して送出するようにしてもよいことは当然である。
【００２２】
図１０に初期識別信号のフォ−マット例を示す。このような初期識別信号は周知であるので、詳細な説明は省略するが、プリアンブルにつづくＦおよび末尾のＦはフラグシ−ケンス、Ａはアドレスフィ−ルド、Ｃはコントロ−ルフィ−ルド、ＦＣＦはファクシミリコントロ−ルフィ−ルド（本発明の場合はＤＩＳ信号コ−ド）、ＦＩＦはファクシミリインフォ−メ−ションフィ−ルド（情報フィールド）、ＦＣＳはフレ−ムチェッキングシ−ケンスである。ＦＩＦの２バイト目には高画質機能の有無が宣言（記載）される。ＦＩＦの６バイト目は超高画質に関して新たに勧告された部分で、第４１ビットは８ドット×１５．４ライン／ｍｍ能力の有無（０＝なし、１＝あり）、第４２ビットは３００ｐｐｉ×３００ｐｐｉ能力の有無（０＝なし、１＝あり）、第４３ビットは４００ｐｐｉ×４００ｐｐｉまたは１６ドット×１５．４ライン／ｍｍ能力の有無（０＝なし、１＝あり）、第４４ビットはインチ系能力の有無（０＝なし、１＝あり）、第４５ビットはミリ系能力の有無（０＝なし、１＝あり）をそれぞれ示している。  
【００２３】
図２は図１の実施例装置による送信画質選択動作例を示すフロ−チャ−トである。ステップＳ１で、送信装置のオペレ−タが通常の手順で送信画質を設定して始動操作すると、主制御部２０が送信しようとする画質を選択設定し、ステップＳ２では発呼動作を遂行する。ステップＳ３では、初期識別信号であるＤＩＳ信号が受信されたかどうかが判断される。ＤＩＳ信号が受信されると、ステップＳ４で、受信されたＤＩＳが解析されて相手機の画質能力、インチ系ミリ系が判別される。つづくステップＳ１４では、先に設定した「送信しようとする画質（原稿画質）」およびＤＩＳ解析で読取った「相手機の有する画質（ＤＩＳ宣言）」をパラメ−タとして、図１１、１２に１例を示したような画質選択テ−ブルを参照し、「実際に送信する画質」としてなるべく高解像度の画質が決定される。最後にステップＳ１５で、既知の通常のプロトコル手順で画情報が送出される。
【００２４】
図１１、１２の画質選択テ−ブルにおいて、「ＳＴＤ」および「Ｆｉｎｅ」は従来の標準および高画質であり、Ｖ１６、Ｒ３００、Ｒ４００はそれぞれ、８ドット×１５．４ライン／ｍｍ、３００ｐｐｉ×３００ｐｐｉ、４００ｐｐｉ×４００ｐｐｉまたは１６ドット×１５．４ライン／ｍｍの画質を示している。なお、これら画質の後の（Ｐ）は、選択される画質タイプ（インチ系／ミリ系）がその機種に依存することを示している。また「Ｆｉｎｅ」画質が選択されるところは、相手機がＦｉｎｅ能力ありと宣言していることを前提としており、上記宣言がなされないときは（この宣言は、前述のように、図１０のＦＩＦの２バイト目になされる）、「ＳＴＤ」とすべきである。このことは、後述する他のテ−ブルについても同様である。
【００２５】
例えば、相手機の宣言が「Ｒ３００、インチ／ミリ能力あり」で、送信側がミリ能力を持ち、送信側の選択画質が「Ｖ１６」ならば、これらをパラメ−タとして図１１、１２から選択される画質は「高画質（Ｆｉｎｅ）ミリ系」になり、この画質で画情報が送出される。
【００２６】
相手機の画質およびインチ／ミリ系能力がＤＩＳ信号から正確に検知されたときは、上述のようにして送信画質が決定されるが、例えば、相手機に超高画質能力があっても、インチ系ミリ系宣言が明確にされていないときは、上記のテ−ブルからは一義的に決定できない。このような場合、新たに勧告された規格では「無効」とされているが、本発明の１つの実施例では、超高画質能力がないものとして送信画質の選択設定がなされる。この場合の動作を、図３のフロ−チャ−トを参照して以下に説明する。同図において、図２と同一の符号は同一内容を表わす。またこの手法実現のための機能ブロック図は図１と同じで良い。
【００２７】
図３において、ステップＳ５では、相手機に超高画質能力があるかどうかが判断される。ステップＳ５の判断が否定ならば、ステップＳ１４へ進んで従来法による送信画質の選択決定がなされる。なおこの場合も、図１１、１２の画質選択テ−ブルを使用できる。反対にステップＳ５の判断が肯定なら、ステップＳ６へ進んで相手機のインチ／ミリ系宣言が無効かどうかが判断される。ステップＳ６での判断が否定、すなわち相手機のインチ／ミリ系宣言が有効ならばステップＳ１４へ進み、図１３、１４（前記図１１、１２でも同じ）のテ−ブルに基づく送信画質決定が行なわれる。
【００２８】
一方、ステップＳ６の判断が肯定、すなわち相手機のインチ／ミリ系宣言が無効であるときは、相手機は超高画質能力を持たないものと見做し、ステップＳ８で図１３、１４の画質選択テ−ブルの「ｉｎｃｈ  ＆  ｍｍ能力無し」の欄にしたがって送信画質が決定される。明らかなように、この画質決定は、図１１、１２の「６バイト目無し」の欄を参照した場合と同じであるから、上記「ｉｎｃｈ  ＆  ｍｍ能力無し」の欄を省略し、相手機のインチ／ミリ系宣言が無効であるときは、図１１、１２の「６バイト目無し」の欄を参照することとしてもよい。またこの場合、相手機はミリ能力を持つものとするのが望ましい。なぜならば、従来のファクシミリ装置は必ずミリ能力は持っているから、相手機との能力整合の確率が高くなるからである。
【００２９】
図４は、本発明による送信画質決定手法の他の例の要部を示すフロ−チャ−トであり、図の簡略化のため、図３のステップＳ６〜８に代わる部分のみを示している。したがって図３と同一の符号は同一内容を表わす。またこの手法実現のための機能ブロック図は図１と同じで良い。
【００３０】
この実施例では、ステップＳ６の判断が肯定、すなわち相手機のインチ／ミリ系宣言が無効である場合は、ステップＳ８Ａへ進み、相手機がインチ系ミリ系宣言に関係ない超高画質を有するものと見做し、図１５、１６のテ−ブルの「ｉｎｃｈ  ＆  ｍｍ能力無し」の欄にしたがって実際の送信画質が決定される。
【００３１】
図５は、本発明による送信画質決定手法のさらに他の例の要部を示すフロ−チャ−トであり、図の簡略化のため、図３のステップＳ６〜８に代わる部分のみを示している。したがって図３と同一の符号は同一内容を表わす。またこの手法実現のための機能ブロック図は図１と同じで良い。
【００３２】
この実施例では、ステップＳ６の判断が肯定、すなわち相手機のインチ／ミリ系宣言が無効である場合は、ステップＳ８Ｂへ進み、相手機がミリ系能力を有するものと見做し、図１７、１８のテ−ブルの「ｉｎｃｈ  ＆  ｍｍ能力無し」の欄にしたがって実際の送信画質が決定される。
【００３３】
図６は本発明のさらに別の実施例の要部を示す機能ブロック図であり、図１と同一の符号は同一または同等部分を表わす。画質タイプ記憶部２４には、送信画質すなわち送信側のオペレ−タが設定するか、あるいは適宜の手法で取込まれた送信用画情報の画質タイプ（インチ系ミリ系）が記憶される。その後相手機から送信された初期識別信号（ＤＩＳ信号）が初期識別信号解析部２１で解析された結果、インチ系ミリ系の宣言がなされていないときは、相手機は送信側の画質タイプ記憶部２４に記憶された画質タイプを持つものと見做して、図１９および２０の画質選択テ−ブルを参照し、実際の送信画質を決定する。その際、テ−ブルの該当する箇所の画質に付された（）内の符号が「Ｓ」かどうかにしたがい、「Ｓ」ならば、先に画質タイプ記憶部２４に記憶した画質タイプを読出し、このタイプを実際に送信する画質タイプと決定する。
【００３４】
図７のフロ−チャ−トを参照して上記図６の装置の動作をさらに詳細に説明する。同図において図３と同一の符号は同一内容を表わす。ステップＳ１Ａでは、読取った送信原稿または適宜の手段で取込んだ送信情報の画質タイプ（ミリ系インチ系の別）が画質タイプ記憶部２４に記憶される。ステップＳ６の判断で相手機のインチ系ミリ系の宣言が無効とされたときは、ステップＳ９へ進み、選択した送信画質と相手機の画質をパラメ−タとして図１９、２０のテ−ブルを参照し、実際に送信する画質およびタイプを読み取る。つづくステップＳ１０では、読み取った画質のタイプが符号（Ｓ）かどうかを判断し、否定判断ならばステップＳ１５へ進んで画情報の送出を行なう。一方、ステップＳ１０の判断が肯定ならば、相手機の画質タイプはステップＳ１Ａで記憶した画質タイプと同一であると見做して送信画質タイプを決定し、ステップＳ１５で画情報を送出する。
【００３５】
したがって図１９、２０のテ−ブルにおいて、符号（Ｓ）は、送信側で予め決められたタイプ（ミリまたはインチ系）になることを示している。
【００３６】
図８は、本発明による送信画質決定手法のさらに他の例を示すフロ−チャ−トであり、図３と同一の符号は同一内容を表わす。またこの手法実現のための機能ブロック図は図６と同じで良い。
【００３７】
この実施例では、まずステップＳ１Ｂで、相手機がインチ系ミリ系の宣言をしてこない場合にどちらのタイプの宣言と見做すかを、操作表示装置８から画質タイプ記憶部２４に入力設定する。ステップＳ６の判断で相手機のインチ系ミリ系の宣言が無効とされたときは、ステップＳ９Ａにおいて、相手機の画質タイプはステップＳ１Ｂで記憶したものと見做す。
【００３８】
以上に述べた諸機能は、操作表示装置８からの操作によって有効化したり無効化したりできることは当然である。また、図１１〜２０に示した画質選択テ−ブルは単なる例示であって、適宜変更できるものである。
【図面の簡単な説明】
【００３９】
【図１】本発明の１実施例の要部を示す機能ブロック図である。
【図２】図１の実施例の動作を示すフロ−チャ−トである。
【図３】本発明の他の実施例の動作を示すフロ−チャ−トである。
【図４】本発明のさらに他の実施例の動作を示すフロ−チャ−トである。
【図５】本発明の別の実施例の動作を示すフロ−チャ−トである。
【図６】本発明のさらに別の実施例の要部を示す機能ブロック図である。
【図７】図６の実施例の動作を示すフロ−チャ−トである。
【図８】本発明のさらに他の実施例の動作を示すフロ−チャ−トである。
【図９】本発明を適用するに好適なファクシミリ装置の代表的ハード構成を示す要部ブロック図である。
【図１０】初期識別信号のフォ−マット例を示す図である。
【図１１】図１２と共に、送信画質および相手機の画質宣言をパラメ−タとする画質選択テ−ブルを構成する部分テ−ブルである。
【図１２】図１１と共に、送信画質および相手機の画質宣言をパラメ−タとする画質選択テ−ブルを構成する部分テ−ブルである。
【図１３】図１４と共に、相手機に超高画質無しと見做す場合の、送信画質および相手機の画質宣言をパラメ−タとする画質選択テ−ブルを構成する部分テ−ブルである。
【図１４】図１３と共に、相手機に超高画質無しと見做す場合の、送信画質および相手機の画質宣言をパラメ−タとする画質選択テ−ブルを構成する部分テ−ブルである。
【図１５】図１６と共に、相手機がインチ系ミリ系に関係しない超高画質を有すると見做す場合の、送信画質および相手機の画質宣言をパラメ−タとする画質選択テ−ブルを構成する部分テ−ブルである。
【図１６】図１５と共に、相手機がインチ系ミリ系に関係しない超高画質を有すると見做す場合の、送信画質および相手機の画質宣言をパラメ−タとする画質選択テ−ブルを構成する部分テ−ブルである。
【図１７】図１８と共に、相手機がミリ系能力を有すると見做す場合の、送信画質および相手機の画質宣言をパラメ−タとする画質選択テ−ブルを構成する部分テ−ブルである。
【図１８】図１７と共に、相手機がミリ系能力を有すると見做す場合の、送信画質および相手機の画質宣言をパラメ−タとする画質選択テ−ブルを構成する部分テ−ブルである。
【図１９】図２０と共に、送信側で読取ったのと同じ画質を相手機が有すると見做す場合の、送信画質および相手機の画質宣言をパラメ−タとする画質選択テ−ブルを構成する部分テ−ブルである。
【図２０】図１９と共に、送信側で読取ったのと同じ画質を相手機が有すると見做す場合の、送信画質および相手機の画質宣言をパラメ−タとする画質選択テ−ブルを構成する部分テ−ブルである。
【符号の説明】
【００４０】
１…読取装置、３…符号化復号化装置、４…モデム、５…網制御装置、６…画像メモリ、７…印字装置、８…操作表示装置、９…ＲＯＭ、１０…ＲＡＭ、１１…ＣＰＵ、１６…回線、１８…システム制御部、１９…通信制御部、２０…主制御部、２１…初期識別信号解析部、２３…送信画質選択部、２４…画質タイプ記憶部、２５…画質選択テ−ブル、２７…送信原稿読取部
【図１】
0003690526.tif 000002
【図２】
0003690526.tif 000003
【図３】
0003690526.tif 000004
【図４】
0003690526.tif 000005
【図５】
0003690526.tif 000006
【図６】
0003690526.tif 000007
【図７】
0003690526.tif 000008
【図８】
0003690526.tif 000009
【図９】
0003690526.tif 000010
【図１０】
0003690526.tif 000011
【図１１】
0003690526.tif 000012
【図１２】
0003690526.tif 000013
【図１３】
0003690526.tif 000014
【図１４】
0003690526.tif 000015
【図１５】
0003690526.tif 000016
【図１６】
0003690526.tif 000017
【図１７】
0003690526.tif 000018
【図１８】
0003690526.tif 000019
【図１９】
0003690526.tif 000020
【図２０】
0003690526.tif 000021